(57)【特許請求の範囲】
【請求項１】
防護格子が取付けられる建屋等の壁に窓穴をコンクリート打設により形成するとき、当該窓穴の内周面を凹溝状に形成しておき、前記窓穴に収まる大きさの金属製枠体であって、その内部に金属棒などの棒材による格子棧を具備し、かつ、当該枠体の各辺の内周面にその外周面に向け突出させたボルトを複数本立設した格子体を、前記窓穴の凹溝部に当てがい前記各ボルトの先端を前記凹溝部の底に強く当接するまで螺子込み縦，横の前記各格子棧に圧縮力が作用した状態で当該凹溝部にコンクリートを打設し、前記各ボルトの頭部をカットすることを特徴とする防護格子の取付施工法。
【発明の詳細な説明】
【０００１】
【発明の属する技術分野】
本発明は発電所などの施設において、建屋躯体に換気や採光などのために設けられた窓穴に装設することにより、施設に無関係の第三者などが勝手に建屋内へ侵入することを防止するための防護格子の取付施工法に関する。
【０００２】
【従来の技術】
従来から、発電所などの枢要な施設には、外部から無関係の人が勝手に侵入することがないように様々な防護策が採られており、例えば発電所等の建屋では、それに設けられた換気用、或は、採光用の窓に人の侵入防止用の防護格子が取付けられることが多い。
【０００３】
従来の防護格子について、模式的に示した図４，図５により説明する。まず、建屋躯体の壁Ｗには、コンクリート打設によりほぼ矩形をなすな窓穴Hwが形成されるが、この窓穴Hwの枠となる内周面には、コンクリート打設の際に、壁体内に埋設されるスタッドジベルＳの複数本を具備した金属製の窓枠Fhが同時に取付けられる。
【０００４】
上記の窓枠Fhが取付けられた窓穴Hwに対し、外部の工場等で製作された、前記窓枠Fhに収まる金属製の矩形状の枠体20に、適宜の金属棒や複合材製の棒体による縦，横の格子棧21，22を取付けて形成された格子体Gwが搬入されて装着されるが、コンクリート打設により形成される窓穴Hwと、その打設の際に取付けられた金属製の窓枠Fhとは、いわゆる現場作業である故に精度も十分でないため、外部で製作された格子体Gwの枠体20との間に不均等な隙間ｇが生じる。
【０００５】
そこで従来は、上記枠体20と窓枠Fhとの隙間ｇを金属製ライナーＬなどで埋めた上で、窓枠Fhと枠体20との間で枠体20の前後面に、上記隙間ｇを隠すための縁部材Ｅを窓枠Fhの全周に当てがい、この縁部材Ｅと窓枠Fhとを溶接ｂすることにより、格子体Gwを窓穴Hwの窓枠Fhに固着している。
【０００６】
しかし乍ら、上記防護格子の取付態様では、コンクリート打設による窓穴Hwの形成時の窓枠Fhの取付けに始まって縁部材Ｅの溶接ｂまでに、多くの段取りと施工手間を要するため、施工性に合理的とはいえない面がある。
【０００７】
【発明が解決しようとする課題】
そこで本発明は、防護格子の施工形態の合理化，簡素化を図ると共に、簡素化，合理化した施工形態により取付けた防護格子であっても、従来の防護格子よりも優れた防護性，防盗性，殊に耐カッター性能が良好な防護格子の取付施工法を提供することを、課題とするものでる。
【０００８】
【課題を解決するための手段】
上記課題を解決することを目的としてなされた本発明防護格子取付施工法の構成は、防護格子が取付けられる建屋等の壁に窓穴をコンクリート打設により形成するとき、当該窓穴の内周面を凹溝状に形成しておき、前記窓穴に収まる大きさの金属製枠体であって、その内部に金属棒などの棒材による格子棧を具備し、かつ、当該枠体の各辺の内周面にその外周面に向け突出させたボルトを複数本立設した格子体を、前記窓穴の凹溝部に当てがい前記各ボルトの先端を前記凹溝部の底に強く当接するまで螺子込み縦，横の前記各格子棧に圧縮力が作用した状態で当該凹溝部にコンクリートを打設し、前記各ボルトの頭部をカットすることを特徴とするものである。
【０００９】
そして、上記の取付施工法により取付けられる防護格子は、建屋の壁などに形成された窓穴の内周面に形成された凹溝部にコンクリート打設により取付固定される金属主体の格子棧を取付けた金属製枠体と、該枠体の各辺にこの枠体の内周面側から外周面へ貫通突出して前記凹溝部の底に当接するまで螺子込まれるボルトとを備え、前記凹溝部に打設されるコンクリートによって前記枠体を窓穴に固定すると共に前記ボルトの頭部をカットするようにして成るものである。
【００１０】
【発明の実施の形態】
次に本発明取付工法とこの工法で用いる防護格子の実施の形態例について、図１〜図３を参照しつつ説明する。図１は本発明の取付施工法で取付られた防護格子の一例を建物躯体の壁Ｗに設けた窓穴Hwに取付ける状態を示す正面図、図２は図１の防護格子が本発明施工法により窓穴Hwに取付けられた状態の要部の拡大平断面図、図３は図２と同じ状態における要部の拡大側断面図である。
【００１１】
図１〜図３において、１は、従来の防護格子と同様に金属製の枠材1fを矩形の枠体に形成し、この枠体に、金属製棒などによる格子棧1gを格子状に取付けた格子体で、本発明防護格子は、格子体１の上記構成に加えて、各枠材1fにその内面側から外面に向けて植設したボルト２が、図１の例では１本の枠材1fについて、３本設けられた構成を具備している。格子棧1gの設置本数やボルト２の使用本数は、窓穴Hwの大きさに対応して形成される枠材1fによる枠体の大きさに応じて任意に設定することができるものである。また、格子棧1gには、金属製棒のほか金属パイプの内部に耐錐材などを充填した構造のものが適宜選択されて用いられる。
【００１２】
次に、本発明の格子体１の一例は、上記ボルト２の付加に加え、各枠材1fの周囲の前後両面に、従来品の縁部材Ｅに対応する縁部材３を予め溶接等によって固着した構成も具備して本発明防護格子の一例に形成される（図１参照）。この格子体１は、通常、外部の工場などにおいて予め製造して取付場所に搬入するが、このことが現場で上記格子体１の製造を排除するものではない。
【００１３】
上記構成を具備した本発明防護格子は、建物躯体に形成された窓穴Hwに取付けられるが、取付形態が従来の格子体Gwと異なり、またそれ故に、窓穴Hwの構造も従来の格子体Gw用のものとは異なった形態を具備する。
【００１４】
即ち、従来の防護格子が取付けられる窓穴Hwは、図４，図５に例示したようにその窓穴Hwのコンクリート打設による形成時、スタッドジベルＳを有する窓枠Fhを同時に埋設した構造であったが、本発明においては、図１の本発明防護格子となる格子体１を取付ける窓穴Hwを、その窓穴Hwに沿って浅い凹状の溝Ｇが形成されるようにコンクリート打設によって形成している。
【００１５】
そして、本発明防護格子となる格子体１を、溝Ｇを有する窓穴Hwに取付けるに当っては、格子体１を窓穴Hwに当てがい、各枠材1fに螺設している各ボルト２を回して溝Ｇの底側に進出させて溝Ｇの底に当接させ、この格子体１を窓穴Hwの内周面側において各枠材1fが周囲の溝Ｇの底から浮いた状態で保持させて仮止めする。このとき、各ボルト２は、均等に進出させたり、各ボルト２の進出量を調整しながら進出させることにより、格子体１の水平及び垂直姿勢を調整することができる。また、各ボルト２の先端を強く各溝Ｇの先端に当接させることにより、縦，横の各格子棧1gには圧縮力が作用するようにする。
【００１６】
格子体１が上記のようにして仮止めされたら、この状態で各溝Ｇの前面側（窓穴Hwの内周面）に蓋となる仮枠（図示せず）を当てがい、この仮枠の内側の各溝ＧにコンクリートＣを打設する。打設されたコンクリートＣは、仮枠蓋の裏面側の各溝Ｇの内部に充填されてその溝Ｇを埋めると共に、格子体１の各枠材1fと縁部材３，３で囲まれた部分にも進入して溝Ｇを埋めたコンクリートＣと一体になって固まる（図２，図３参照）。
【００１７】
なお、図３に示した格子体１では、枠体における下辺の枠材1f′の前後面に縁部材３を設けていない。図３の格子体１の下辺の枠材1f′は、この図に示したようにムクの枠材1f′を用いているからである。また、前記ムクの枠材1f′が対応する溝Ｇの底には、この枠材1f′に植設されているボルト２を受けるための受板2aが設けられている。従って、本発明では、縁部材３を周囲に設けない格子体１を、前記窓穴Hwの周囲の溝Ｇに取付けてコンクリート打設することもある。
【００１８】
上記のようにして打設コンクリートＣが固化したら格子体１における各枠材1fの内周面に突出して残っている各ボルト２を、各枠材1fの内周面と同面になるように切断して、本発明施工法による格子体１の取付けを完了する。なお、取付けた格子体１に仕上研摩や塗装などを施工するのは、任意である。
【００１９】
【発明の効果】
本発明は以上の通りであって、格子体の四周の枠材に外向きのボルトを設け、このボルトを進出させて窓穴の内周面に各枠材を突張る態様で格子体を窓穴に取付け、各枠材と各ボルトとを打設コンクリートで隠ぺいして窓穴の内周面にコンクリートで直に埋設された形態で防護格子を取付けるようにしたので、防護格子の取付工程が大幅に簡素化される。
【００２０】
また、本発明の取付施工法で取付られた防護格子は、格子体の枠材に取付けた縦，横の格子棧が、窓穴の内周面に対して進出させた前記ボルトによる圧縮力を受けた状態で窓穴に取付けられるので、回転タイプ，往復タイプのいずれの切断刃を有するカッターであっても、格子棧を切断し始めるとその刃の切込み面に前記圧縮力が加わるため、円滑な切断動作ができず、格子棧が著しく切断され難いという耐カッター性能を増大させる特長がある。
【００２１】
以上のように、本発明の取付施工法で取付られた防護格子は、発電所などの枢要な建物などに設けられる換気用、或は、採光用の窓穴からの人の侵入などを防止するための防護格子として極めて有用であり、また、その取付施工法も従来工法に比べ大幅に簡素化されるので、施工性や経済性の面などにおいても従来工法に比べ優れている。
【図面の簡単な説明】
【図１】  本発明の取付施工法で取付られた防護格子の一例を建物躯体の壁に設けた窓穴に取付ける状態を示す正面図。
【図２】  図１の防護格子が本発明施工法により窓穴に取付けられた状態の要部の拡大平断面図。
【図３】  図２と同じ状態における要部の拡大側断面図。
【図４】  従来の防護格子の一例の正面図。
【図５】  図４における要部の縦断面図。
【符号の説明】
１        格子体
1f        枠材
1g        格子棧
２        コンクリートボルト
３        縁部材
Hw        窓穴
Ｇ        溝
Ｃ        打設コンクリート
【図１】
0003992532.tif 000002
【図２】
0003992532.tif 000003
【図３】
0003992532.tif 000004
【図４】
0003992532.tif 000005
【図５】
0003992532.tif 000006